(57)【要約】【課題】アトピー性皮膚炎の患者等掻き癖のある人が、体を掻いて傷を作ったり、また体を掻くことによる皮膚の炎症等症状の悪化を防ぐために、体を掻こうとする指の動きを抑えると共に被覆物内面から指で押しても表面を突起させることができない剛性を有し、容易に着脱ができ、表面にかかる摩擦力を極力抑えるように成形された指拘束具を提供することを課題とする。【解決手段】シリコンゴム等ゴム系素材または弾性を有する合成樹脂等弾性素材により成形された略球状の中空体１であり、前記中空体１は人の拳から手首までをゆるやかに沿い覆う状態の略球状で、手首部端縁を開口部２とし、複数の通気穴３ならびに局部的な突起状変形を認めない程度の剛性を併有する単一成形体であることを特徴とする指拘束具である。【選択図】図１
2006020996.tif 000002
【特許請求の範囲】
【請求項１】
シリコンゴム等ゴム系素材または弾性を有する合成樹脂等弾性素材により成形された略球状の中空体であり、前記中空体は人の拳から手首までをゆるやかに沿い覆う状態の略球状で、該中空体の手首部端縁を拳部最大内径値よりも小さな内径値の円形または略円形に成形した開口部を有し、さらに複数の通気穴ならびに局部的な突起状変形を認めない程度の剛性を併有する単一成形体であることを特徴とする指拘束具。
【発明の詳細な説明】
【技術分野】
【０００１】  この発明は、手の指で体を掻くという行為を極力阻止するための指拘束具に関する。
【背景技術】
【０００２】  従来アトピー性皮膚炎の患者等掻き癖のある人は、手で体を掻いて傷を作ったり、また体を掻くことによる皮膚の炎症等症状の悪化に悩んでいる。【０００３】  体を掻いて傷を作ることを防ぐ目的の手袋や、その他袋状の手の被覆物（例えば特許文献１参照）など様々な考案が存在する。【０００４】  また、体の引っ掻き防止を目的の一つとする、手の保護具の考案（特許文献２参照）が存在する。
【特許文献１】特開平１１−２４１２０９
【特許文献２】特開２００２−１７２１２６
【発明の開示】
【発明が解決しようとする課題】
【０００５】  しかしながら、アトピー性皮膚炎の患者等掻き癖のある人が、体を掻いて皮膚に傷を作ったり、また体を掻くことによる皮膚の炎症等症状の悪化を防ぐためには、手の指の動きによる掻くという行為を極力阻止しなければならない。【０００６】  体を掻いて傷を作ることを防ぐ目的の手袋や、その他袋状の手の被覆物など様々な考案が存在するが、そのほとんどが布等を素材とし、被覆物全体もしくは被覆物の一部が自在に変形するものであるために、実際には体を掻こうとする指の動きを防ぎきれず、被覆物内部から指で押して被覆物表面に突起や角となる部分を作り出し、これらを爪の代用として被覆物ごと掻くことが可能になる。そのため、体を掻いて傷を作ってしまうことを防ぐ効果が期待できない。【０００７】  例えば特許文献１記載の考案では、親指には自由があり、この親指で布素材のカバー袋の内部から押して表面を突起させ、これを指の爪の代用として掻くことが可能であるので、掻き傷を作ることを防ぐ効果が期待できない。さらに、当該考案を実践することは被覆物が二つ有るために着脱の際二重の手間がかかり非常に面倒なので使用の継続性に問題がある。【０００８】  また、特許文献２記載の考案は、硬質のプラスチックを材料とする被覆物であり、その形状がコップ状であるため角を有している。この角を爪の代用として、被覆物ごと体を掻くことが容易であり、体を掻いて傷を作ることを防止する効果は期待できない。また、該被覆物が体と接触すれば、体に大きな傷を作りかねず、特に目に接触すれば、重大な身体的障害を招く恐れがあるため、該被覆物を使用することは危険である。【０００９】  綿など布素材または網状の素材は、体に擦れる際の摩擦力が大きく、指を使わなくてもこのような素材の摩擦を利用して掻くことができるので、擦り傷を作り、炎症を起こし症状の悪化を招くことになる。この発明は、以上の問題を解決するために、体を掻こうとする指の動きを抑えると共に被覆物内面から指で押しても表面を突起させることができない剛性を有し、容易に着脱ができ、表面にかかる摩擦力を極力抑えるように成形された指拘束具を提供することを課題とする。
【課題を解決するための手段】
【００１０】  以上の課題を解決するために、この発明は、シリコンゴム等ゴム系素材または弾性を有する合成樹脂等弾性素材により成形された略球状の中空体１であり、前記中空体１は人の拳から手首までをゆるやかに沿い覆う状態の略球状で、駭中空体１の手首部端縁を拳部最大内径値よりも小さな内径値の円形または略円形に成形した開口部２を有し、さらに複数の通気穴３ならびに局部的な突起状変形を認めない程度の剛性を併有する単一成形体であることを特徴とする指拘束具である。
【発明の効果】
【００１１】  この発明によれば、手を中空体１である指拘束具の中に挿入すると、該指拘束具によって手の指が完全に被覆されるため、手の指で体を掻くことが至極困難となり、体を掻いて傷を作ることを防ぐことができる。【００１２】  指拘束具の形状は、人の拳から手首までをゆるやかに沿い覆う状態の略球状であり、手の指を被覆拘束するにあたる拳部に角になる部分を有さない。また該指拘束具はシリコンゴム等ゴム系素材または弾性を有する合成樹脂等弾性素材を成形して成るものであるが、局部的な突起状変形を認めない程度の剛性を有するため、該指拘束具内部より指で押した際に、該指拘束具の形状が多少変化するが、表面を突起させるには至らない。ゆえに、該指拘束具においては角や突起を爪の代用として掻くことは不可能である。【００１３】  指拘束具の素材であるシリコンゴム等ゴム系素材または弾性を有する合成樹脂等弾性素材は、高密度成形により該指拘束具の表面を体と接触した際の摩擦力を極力小さくすべく滑沢な面に成形することが可能であるため、該指拘束具の表面を滑沢な面に成形することにより、体との摩擦を利用して掻くことを抑えることが期待できる。【００１４】  指拘束具には通気穴３を複数設け、通気性を確保することにより、該指拘束具内部の温度と湿度の上昇を抑え、装着時の不快感を和らげることが期待できる。【００１５】  指拘束具の装着の際は、開口部２を手で押し広げるようにしながら挿入し、脱ぐ際には手を引き抜くだけで済むので着脱が容易である。そのため該指拘束具を継続的に使用することが期待できる。【００１６】  指拘束具の開口部２は拳部最大内径値よりも小さな内径値の円形または略円形に成形されており、少なくとも該開口部２の内径は拳よりも小さいので、特に就寝時における使用中に簡単に脱げてしまわないことが期待できる。【００１７】  人の手は、安静時において、指が手のひら側に曲がり、軽く手を握る格好になるので、人の拳から手首までをゆるやかに沿い覆う状態の略球状の中空体１である指拘束具の内部で、手を軽く握ることにより、装着時の違和感を抑えることが期待できる。【００１８】  指拘束具は、シリコンゴム等ゴム系素材または弾性を有する合成樹脂等弾性素材より成形されて成る中空体１であるために適度に柔らかいので、就寝時における使用中に体の下敷きになったり、壁やベッド等にぶつけても破損の恐れが少なく、体にぶつけてしまっても大きな怪我を招く恐れも少ない。
【発明を実施するための最良の形態】
【００１９】  以下、本発明の一実施形態を図１及び図２に基づいて説明する。【００２０】  図１に示すように、本発明である指拘束具はシリコンゴム等ゴム系素材または弾性を有する合成樹脂等弾性素材により成形された略球状の中空体１であり、前記中空体１は人の拳から手首までをゆるやかに沿い覆う状態の略球状で、手首部端縁を開口部２とする単一成形体である。【００２１】  上記開口部２は、中空体１の拳部最大内径値よりも小さな内径値の円形または略円形に成形し、該開口部２の縁は外面側から内面側にかけて丸く成形されている。【００２２】  図２に示すように、中空体１の断面は、局部的な突起状変形を認めない程度の剛性を確保するに足る厚みをもって、極力均一に成形されている。【００２３】  中空体１の表面は、体に接触した際の摩擦力を抑えられるように、極力滑沢な面に成形されている。【００２４】  中空体１のほぼ全面に、決して手の指が入ることの無い大きさの通気穴３が複数設けられている。
【図面の簡単な説明】
【００２５】
【図１】本発明の一実施形態を示す図であり、（ａ）は側面図、（ｂ）は上面図である。
【図２】図１（ａ）の断面図である。
【符号の説明】
【００２６】  １  中空体
２  開口部
３  通気穴
【図１】
2006020996.tif 000003
【図２】
2006020996.tif 000004